(57)【特許請求の範囲】
【請求項１】
屋根上に巻取り繰り出し可能なスクリーンの後端部を結合するロールと、
前記スクリーンの前端部を結合するスライドボトムと、
屋根上に取付けられ前記スクリーンの巻取り繰り出し方向に沿って延設された対をなすガイドレールに装着するための、前記スライドボトムの両端に設けられたガイドローラと、を含むスクリーンユニットの梱包構造であって、
前記スライドボトムに前記スクリーンユニットを搭載した状態で、前記スライドボトムの両端の前記ガイドローラが対をなす前記ガイドレールに装着される際に、前記ガイドレールに前記ロールが干渉することを防止するスペーサを、前記スライドボトムと前記ロールとの間に介在させて梱包体により梱包した
ことを特徴とするスクリーンユニットの梱包構造。
【請求項２】
請求項１に記載のスクリーンユニットの梱包構造において、
前記ロールの両端にワイヤ巻取りプーリが取付けられており、前記ロールおよび前記プーリの軸心と前記ガイドレールの上面との距離が、前記ロールと前記プーリのうちで大きい方の半径より大きくなるように前記スペーサの寸法が設定されている
ことを特徴とするスクリーンユニットの梱包構造。
【請求項３】
請求項２に記載のスクリーンユニットの梱包構造において、
前記プーリの直径より直径が大きな円筒状のカバーにより前記プーリを覆った
ことを特徴とするスクリーンユニットの梱包構造。
【請求項４】
サンルームまたはテラスの屋根上に設置される左右のガイドレールに沿って移動可能に装着するスライドボトムにスクリーンの前端部を結合し、スクリーンの後端部をロールに結合してロールに対してスクリーンを巻取り繰り出し可能とし、かつロールの両端にワイヤを巻く巻取りプーリを同軸に取付けてなるスクリーンユニットの施工方法において、
前記スライドボトム上に、該スライドボトム施工時に前記ガイドレールとの干渉を防止するスペーサを介して前記スクリーンユニットを一体化しておき、
前記スライドボトムにスクリーンユニットを搭載した状態で両端にガイドローラを有する前記スライドボトムを前記ガイドレールに装着し、
前記ガイドレールに沿って前記スライドボトムの両端のガイドローラを転動させることにより、前記スライドボトムと共に前記スクリーンユニットを前記ガイドレールの後端側の設置場所まで移動させる
ことを特徴とするスクリーンユニットの施工方法。
【発明の詳細な説明】
【技術分野】
【０００１】
本発明は、サンルーム、テラス等の屋根上に設ける日除け用スクリーンユニットの梱包構造と施工方法に関する。
【背景技術】
【０００２】
サンルームやテラスは、屋根に透明板を設け、側面や前面に必要に応じてパネルや扉等を設けて構成される。このようなサンルーム等において、特に夏における日光を遮蔽するため、屋根の上に開閉式の日除けスクリーンを取付けることが行なわれる。
【０００３】
このようなスクリーンからなる日除け装置は、特許文献１に記載のように、屋根上にスクリーンを巻くロールを配置すると共に、屋根上に対をなす平行なガイドレールを取付け、これらのガイドレールにスライドボトムの両端を移動可能に装着し、スクリーンの前端部をスライドボトムに結合して構成される。
【０００４】
この従来の日除け用のスクリーンユニット（スクリーンを巻いたロールや、ワイヤを巻く巻取りプーリ等からなるユニット）の施工は、屋根上にガイドレールを施工した後、サンルームの前の左右に脚立等を立て、２人の作業者がそれぞれ左右の脚立に上ってスクリーンユニットをガイドレール上に載せ、ガイドレール上でスクリーンユニットを持ち上げては下ろしてスクリーンユニットを躯体側のスクリーンユニットの設置個所まで運んでいた。
【先行技術文献】
【特許文献】
【０００５】
【特許文献１】実公平８−８２３４号公報
【発明の概要】
【発明が解決しようとする課題】
【０００６】
しかしながら、スクリーンユニットは重量物であるため、重量物の持ち上げを伴うこのようなスクリーンユニットの屋根上での施工作業は脚立上等の不安定な足場の上での労力のいる困難な作業であり、施工作業の容易化が要望されていた。
【０００７】
本発明は、上記問題点に鑑み、ガイドレールの前部からスクリーンユニットの設置場所への移動が容易に行なえるスクリーンユニットの梱包構造と施工方法を提供することを目的とする。
【課題を解決するための手段】
【０００８】
請求項１のスクリーンユニットの梱包構造は、
屋根上に巻取り繰り出し可能なスクリーンの後端部を結合するロールと、
前記スクリーンの前端部を結合するスライドボトムと、
屋根上に取付けられ前記スクリーンの巻取り繰り出し方向に沿って延設された対をなすガイドレールに装着するための、前記スライドボトムの両端に設けられたガイドローラと、を含むスクリーンユニットの梱包構造であって、
前記スライドボトムに前記スクリーンユニットを搭載した状態で、前記スライドボトムの両端の前記ガイドローラが対をなす前記ガイドレールに装着される際に、前記ガイドレールに前記ロールが干渉することを防止するスペーサを、前記スライドボトムと前記ロールとの間に介在させて梱包体により梱包した
ことを特徴とする。
【０００９】
請求項２のスクリーンユニットの梱包構造は、請求項１に記載のスクリーンユニットの梱包構造において、
前記ロールの両端にワイヤ巻取りプーリが取付けられており、前記ロールおよび前記プーリの軸心と前記ガイドレールの上面との距離が、前記ロールと前記プーリのうちで大きい方の半径より大きくなるように前記スペーサの寸法が設定されている
ことを特徴とする。
【００１０】
請求項３のスクリーンユニットの梱包構造は、請求項２に記載のスクリーンユニットの梱包構造において、
前記プーリの直径より直径が大きな円筒状のカバーにより前記プーリを覆った
ことを特徴とする。
【００１１】
請求項４のスクリーンユニットの施工方法は、
サンルームまたはテラスの屋根上に設置される左右のガイドレールに沿って移動可能に装着するスライドボトムにスクリーンの前端部を結合し、スクリーンの後端部をロールに結合してロールに対してスクリーンを巻取り繰り出し可能とし、かつロールの両端にワイヤを巻く巻取りプーリを同軸に取付けてなるスクリーンユニットの施工方法において、
前記スライドボトム上に、該スライドボトム施工時に前記ガイドレールとの干渉を防止するスペーサを介して前記スクリーンユニットを一体化しておき、
前記スライドボトムにスクリーンユニットを搭載した状態で両端にガイドローラを有する前記スライドボトムを前記ガイドレールに装着し、
前記ガイドレールに沿って前記スライドボトムの両端のガイドローラを転動させることにより、前記スライドボトムと共に前記スクリーンユニットを前記ガイドレールの後端側の設置場所まで移動させる
ことを特徴とする。
【発明の効果】
【００１２】
請求項１の発明によれば、スライドボトム上とスクリーンユニットとの間に設けるスペーサを備えたので、スクリーンユニットをスライドボトム上に搭載したままでスクリーンユニットがガイドレールに干渉することなくスライドボトムをガイドレールに装着することができる。このため、スライドボトムをスクリーンユニットの運搬手段として用いて、スクリーンユニットの設置個所までスライドボトムの両端のガイドローラの転動により移動させることができる。このため、作業者は脚立や梯子の上での足場の不安定な場所で重量物であるスクリーンユニットを持ち上げて設置個所まで移動させる作業を行なう必要が無くなり、スクリーンユニットの施工が容易となる。
【００１３】
請求項２の発明によれば、ロールの両端にワイヤ巻取りプーリを備えたスクリーンユニットにおいて、スクリーンユニット施工時におけるプーリまたはロールとガイドレールとの干渉を防止することができる。
【００１４】
請求項３の発明によれば、ワイヤ巻取りプーリを覆う円筒状のカバーを設けたので、輸送やスクリーンユニット取扱い時におけるプーリの損傷を防止することができる。
【００１５】
請求項４の発明によれば、スライドボトム上にスクリーンユニットを搭載した状態でガイドレールに装着し、スライドボトムと共にスクリーンユニットをガイドレールの後端側の設置場所までガイドレールに沿って、スライドボトムの両端のガイドローラの転動により移動させるため、作業者は脚立や梯子の上での安定性の悪い場所で重量物であるスクリーンユニットを持ち上げて設置個所まで移動させる作業を行なう必要が無くなり、スクリーンユニットの施工が容易となる。
【図面の簡単な説明】
【００１６】
【図１】本発明の梱包構造および施工方法を適用する日除け用スクリーン付きサンルームの一例を示す斜視図である。
【図２】図１のサンルームの分解斜視図である。
【図３】図１のスクリーン付きサンルームの平面図である。
【図４】図１のスクリーンとワイヤの巻取り繰り出し構造を示す側面図である。
【図５】本発明の梱包構造の一実施の形態を示す正面図である。
【図６】図５の梱包構造のＥ−Ｅ拡大断面図である。
【図７】本実施の形態におけるスクリーンとスライドボトムとの結合構造を示す側面図である。
【図８】図５、図６に示す梱包構造を用いたスクリーンユニットの施工作業を説明する斜視図である。
【発明を実施するための形態】
【００１７】
図１は本発明梱包構造および施工方法を適用する日除け用のスクリーン付きサンルームの一例を示す斜視図、図２はその分解斜視図である。また、図３は図１のスクリーン付きサンルームの平面図、図４はそのスクリーンとワイヤの巻取り繰り出し構造を示す側面図である。図１、図２において、サンルーム１は、家屋の躯体(図示せず)に付設され、支柱２で支持された垂木３や桁４に採光用の透明の屋根板５を載置すると共に、側面や前面に必要に応じてパネル４０（図８参照）や扉等を設けて構成される。
【００１８】
６はスクリーンユニットであり、このスクリーンユニット６は、スクリーン７を巻くロール８と、ロール８の両端にロール８と同軸に結合して取付けられ、ワイヤ９を巻く巻取りプーリ１０，１０と、ロール８に内蔵されたロール回転用モータ１１等により構成される。なお、ロール８を回転させる手段として、手動操作式のものを用いる場合もある。１２はロール８、巻取りプーリ１０等を覆うカバーである。１３，１４はロール８および巻取りプーリ１０からなる回転体を垂木３上に取付けるためのブラケットである。１５，１６はこれらのブラケット１３，１４に取付けられ、モータ１１および軸受１８（図３参照）を抑えてブラケット１３，１４にスクリーンユニット６を取付ける押え金具である。
【００１９】
２０，２０は垂木３上にブラケット２１により平行に取付けられた対をなすガイドレール、２２はこれらのガイドレール２０，２０に転動可能に係合させるガイドローラ２３を有してガイドレール２０，２０に移動可能に装着されるスライドボトムであり、このスライドボトム２２は後述の構造でスクリーン７の前端部を結合し、このスライドボトム２２の移動に伴い、図３の矢印Ｙ方向にスクリーン７が開閉されるものである。
【００２０】
巻取りプーリ１０とこれに巻かれるワイヤ９は、ロール８の正逆の回転力をスライドボトム２２に伝え、スクリーン７を開閉させるために設けられる。このため、各巻取りプーリ１０，１０に巻かれたワイヤ９，９は、図３、図４に示すように、ガイドレール２０，２０にそれぞれ取付けたガイドプーリ２７ａ，２７ａと、ガイドレール２０，２０の端部にそれぞれ取付けるレールキャップ２８，２８に取付けたガイドプーリ２７ｂ，２７ｂと、スライドボトム２２の両端にそれぞれ設けたガイドプーリ２７ｃ，２７ｃに掛け回される。そして一方のワイヤ９の端部は、張力を付与するためにスライドボトム２２内に設けられた引っ張りスプリング２６の一端に接続し、他方のワイヤ９は、張力調整装置２９を介してスプリング２６の他端に接続される。
【００２１】
図４に示すように、スクリーン７とワイヤ９とは、それぞれロール８と巻取りプーリ１０に対して巻取り繰り出し方向が互いに逆向きとなるように巻かれており、これにより、スクリーン７が巻取られる（繰り出される）時にはワイヤ９は繰り出される（巻取られる）ように構成されている。また、スプリング２６によってワイヤ９やスクリーン７を張ることにより、強風時であってもスクリーン７があおられて屋根板５等に当接して損傷したり騒音を発生させたりすることを防ぐことができる。
【００２２】
図５は本発明によるスクリーンユニット６の梱包構造の一実施の形態をガイドレールへの装着状態で示す正面図、図６はそのＥ−Ｅ拡大断面図である。図５、図６において、３０はスライドボトム２２とスクリーンユニット６との間に介在させるスペーサであり、このスペーサ３０としては段ボールや発泡材等を用いることができる。３１はスライドボトム２２に対してスクリーンユニット６を結合するために設けた結合部材（梱包体）であり、本実施の形態においてはこの結合部材３１としてテープを用いた例を示しているが紐や帯等を用いてもよい。図６、図７に示すように、スクリーン７を開いた時にスクリーン７の前端部となる縁部には板状の端部部材３３が、この端部部材３３にスクリーン７を巻き、かつ固着することにより取付けられ、この端部部材３３は押出形材でなる取付け部材３４にその端部から挿着して取付け部材３４に結合される。３６はプーリ１０の直径より直径が大きな円筒状のカバーであり、プーリ１０を覆うものであり、図５のようにスクリーンユニット６の施工時には取外すものである。
【００２３】
図５において、ロール８と巻取りプーリ１０の軸心とガイドレール２０との上面との距離Ｈが、ロール８とプーリ１０のうちで大きい方（この例の場合はプーリ１０の半径の方が大きい。）の半径ｒより大きくなるようにスペーサ３０のガイドレール２０からの高さ寸法ｈが設定されている。これにより、スライドボトム２２の両端のガイドローラ２３をガイドレール２０に転動可能に係合させて装着した際に、スクリーンユニット６の巻取りプーリ１０がガイドレール２０に干渉しない。
【００２４】
上述のようにスライドボトム２２とスクリーンユニット６とを一体化しておけば、図５、図８に示すように、スクリーンユニット６をスライドボトム２２上に搭載したままでスライドボトム２２をガイドレール２０に装着することができる。このため、図８に示すように、２人の作業者３９がサンルーム１の左右の脚立上や梯子(図示せず)上に立ち、スライドボトム２２をガイドレール２０に装着後、スクリーンユニット６を押して躯体側となるスクリーンユニット６の設置個所まで矢印Ｓで示すように移動させることができる。
【００２５】
スライドボトム２２と共にスクリーンユニット６を移動させた後は、結合部材３１を解いてスクリーンユニット６をスライドボトム２２から取外し、予め垂木３上に固定されているブラケット１３，１４上にスクリーンユニット６の両端を装着し、ブラケット１３，１４に押え金具１５，１６をねじ４１等で取付けてスクリーンユニット６の両端を押えることにより取付ける。また、図７に示すように、スクリーン７の前端部の取付け部材３４をスライドボトム２２に嵌めてねじ３５により結合する。なお、図７において、２２ａはワイヤ９やスプリング２６を収容するためのスライドボトム２２に設けた溝、３７はこの溝２２ａとその内部の収容物を覆うため、ねじ３８により取付けられるカバーである。
【００２６】
この実施の形態によれば、図５におけるｒ，Ｈ，ｈで示される寸法関係が成立するようにスペーサ３０の寸法を設定したので、スクリーンユニット６をスライドボトム２２に搭載した状態でスライドボトム２２の両端のガイドローラ２３の転動により設置個所までスクリーンユニット６がガイドレール２０に干渉することなく移動可能となるので、作業者は脚立や梯子の上での安定性の悪い場所で重量物であるスクリーンユニット６を持ち上げて移動させる作業を行なう必要が無くなり、スクリーンユニット６の施工が容易となる。また、この実施の形態においては、巻取りプーリ１０を覆う円筒状のカバー３６を備えたので、輸送やスクリーンユニット６取扱い時におけるプーリ１０の損傷を防止することができる。
【００２７】
上記実施の形態においては、スライドボトム２２にスクリーンユニット６を結合部材３１により結合したが、例えばスペーサ３０自体の構造をスライドボトム２２やスクリーンユニット６を固定可能な構造とすることにより、スペーサ３０を介してスライドボトム２２にスクリーンユニット６を一体化する構造としてもよい。
【００２８】
本発明は、サンルームのみならず、テラスにも適用することが可能であり、また、本発明を実施する場合、上記実施の形態に限らず、本発明の要旨を逸脱しない範囲において、スクリーンユニット６、ガイドレール２０、スライドボトム２２、スペーサ３０やこれらの組み合わせ等について、種々の変更、付加が可能である。
【符号の説明】
【００２９】
１：サンルーム、２：支柱、３：垂木、４：桁、５：屋根板、６：スクリーンユニット、７：スクリーン、８：ロール、９：ワイヤ、１０：巻取りプーリ、１１：ロール回転用モータ、１２：カバー、１３，１４：ブラケット、１５，１６：押え金具、２０：ガイドレール、２１：ブラケット、２２：スライドボトム、２３：ガイドローラ、２６：引っ張りスプリング、２７ａ〜２７ｃ：ガイドプーリ、３０：スペーサ、３１：結合部材、３３：端部部材、３４：取付け部材、３５：ねじ
【図１】
0005931541.tif 000002
【図２】
0005931541.tif 000003
【図３】
0005931541.tif 000004
【図４】
0005931541.tif 000005
【図５】
0005931541.tif 000006
【図６】
0005931541.tif 000007
【図７】
0005931541.tif 000008
【図８】
0005931541.tif 000009